(57)【要約】【課題】  全開状態で扇形の窓の一部が遮蔽されることを抑え、見栄えがよいうえに窓を確実に閉じることができる遮光スクリーン装置を提供する。【解決手段】  扇形のスクリーン１０ａ・１０ｂと、スクリーン１０ａ・１０ｂを巻き取る円錐台状のドラム１１ａ・１１ｂと、スクリーン１０ａ・１０ｂをドラム１１ａ・１１ｂから繰り出す駆動機構１２ａ・１２ｂを有する。駆動機構１２ａ・１２ｂは、スクリーン１０ａ・１０ｂに取り付ける支持バー１６ａ・１６ｂと、窓枠５の上枠部５ｂに沿って配置するガイドレール１８ａ・１８ｂと、ガイドレール１８ａ・１８ｂを介して支持バー１６ａ・１６ｂを連結するギヤードケーブル１７ａ・１７ｂと、ギヤードケーブル１７ａ・１７ｂを駆動するギヤードモータ２０を有する。ギヤードケーブル１７ａ・１７ｂが駆動されることで、スクリーン１０ａ・１０ｂがドラム１１ａ・１１ｂから繰り出される。【選択図】  図１
2012040112.tif 000002
【特許請求の範囲】
【請求項１】
建物に設けている扇形の窓（３）に配置する遮光スクリーン装置であって、
扇形のスクリーン（１０ａ・１０ｂ）と、扇形の窓枠（５）の下端を成す直線状の下枠部（５ａ）に配置してあってスクリーン（１０ａ・１０ｂ）を巻き取る円錐台形状のドラム（１１ａ・１１ｂ）と、スクリーン（１０ａ・１０ｂ）をドラム（１１ａ・１１ｂ）から繰り出させるための駆動機構（１２ａ・１２ｂ）とを有しており、
駆動機構（１２ａ・１２ｂ）は、スクリーン（１０ａ・１０ｂ）の遊端に取り付けている支持バー（１６ａ・１６ｂ）と、窓枠（５）の円弧状の上枠部（５ｂ）に沿って配置している円弧状のガイドレール（１８ａ・１８ｂ）と、そのガイドレール（１８ａ・１８ｂ）を介して支持バー（１６ａ・１６ｂ）に一端を連結しているケーブル（１７ａ・１７ｂ）と、ケーブル（１７ａ・１７ｂ）を駆動する駆動手段とを有しており、
支持バー（１６ａ・１６ｂ）は、スクリーン（１０ａ・１０ｂ）の円弧状周縁の径方向に延びていて、その長さ方向の一端がスクリーン（１０ａ・１０ｂ）の周縁の中心点（Ｏ１・Ｏ２）の位置で揺動可能に支持されており、
前記中心点（Ｏ１・Ｏ２）は、円弧状の上枠部（５ｂ）の径方向の中心部に位置しており、
ドラム（１１ａ・１１ｂ）は、小径側がスクリーン（１０ａ・１０ｂ）の前記中心点（Ｏ１・Ｏ２）側に位置しており、
スクリーン（１０ａ・１０ｂ）がドラム（１１ａ・１１ｂ）から繰り出されて上枠部（５ｂ）に沿って扇状に広げられることで、窓（３）が覆われることを特徴とする遮光スクリーン装置。
【請求項２】
スクリーン（１０ａ・１０ｂ）をそれぞれ巻き取る二つのドラム（１１ａ・１１ｂ）が、窓枠（５）の円弧状の上枠部（５ｂ）の径方向の中心部を挟んで配置されており、
駆動機構（１２ａ・１２ｂ）は、各スクリーン（１０ａ・１０ｂ）の遊端にそれぞれ取り付けている二本の支持バー（１６ａ・１６ｂ）と、上枠部（５ｂ）に沿って配置している二本の円弧状のガイドレール（１８ａ・１８ｂ）と、各ガイドレール（１８ａ・１８ｂ）を介して各支持バー（１６ａ・１６ｂ）に一端をそれぞれ連結している二本のケーブル（１７ａ・１７ｂ）と、それらのケーブル（１７ａ・１７ｂ）を駆動する駆動手段とを有していることを特徴とする請求項１記載の遮光スクリーン装置。
【請求項３】
前記窓（３）を全閉状態にしたときには、支持バー（１６ａ・１６ｂ）どうしが突き合わされた状態になっていることを特徴とする請求項２記載の遮光スクリーン装置。
【請求項４】
スクリーン（１０ａ・１０ｂ）には、その円弧状の周縁の径方向に延びる補強芯材（１５）を配置していることを特徴とする請求項１乃至３のいずれかに記載の遮光スクリーン装置。
【請求項５】
ガイドレール（１８ａ・１８ｂ）内には、ケーブル（１７ａ・１７ｂ）の一端を連結している連結ブロック（２３ａ・２３ｂ）を当該ガイドレール（１８ａ・１８ｂ）に沿って移動可能に配置しており、
その連結ブロック（２３ａ・２３ｂ）には、ガイドレール（１８ａ・１８ｂ）から支持バー（１６ａ・１６ｂ）側へ突出するピン（２４）を設けており、
支持バー（１６ａ・１６ｂ）には、当該支持バー（１６ａ・１６ｂ）の長さ方向に延びる長孔（２５）を形成しており、
その長孔（２５）には、連結ブロック（２３ａ・２３ｂ）のピン（２４）が支持バー（１６ａ・１６ｂ）の長さ方向に相対移動可能な状態で係合していることを特徴とする請求項１乃至４のいずれかに記載の遮光スクリーン装置。
【請求項６】
ケーブル（１７ａ・１７ｂ）と支持バー（１６ａ・１６ｂ）とを連結するための連結機構を有しており、
その連結機構は、ケーブル（１７ａ・１７ｂ）の一端を連結していてガイドレール（１８ａ・１８ｂ）に沿って移動可能なケーブルブロック（３１）と、一端をケーブルブロック（３１）に揺動自在に取り付けているとともに他端を支持バー（１６ａ・１６ｂ）に揺動自在に取り付けているロッド（３３）とを有していることを特徴とする請求項１乃至４のいずれかに記載の遮光スクリーン装置。
【請求項７】
ケーブル（１７ａ・１７ｂ）は、ギヤードケーブルからなり、
そのギヤードケーブル（１７ａ・１７ｂ）に噛合するギヤホイール（１９）が、駆動手段としてのモータ（２０）に連結していることで、ギヤードケーブル（１７ａ・１７ｂ）がモータ（２０）によって駆動されることを特徴とする請求項１乃至６のいずれかに記載の遮光スクリーン装置。
【発明の詳細な説明】
【技術分野】
【０００１】
本発明は、住宅やオフィスビルなどの建物の窓に設けられて、日光などの外光や内部の光を遮る（遮光）ために使用される遮光スクリーン装置に関するものである。
【背景技術】
【０００２】
前記遮光スクリーン装置として、例えば特許文献１には、半円形状の窓に扇形のカーテン（スクリーン）を配置し、そのカーテンを開くことで採光し、また閉じることで遮光するものが提案されている。
【０００３】
具体的には、特許文献１では、窓枠の円弧状の上枠部に沿ってレールを配置し、その円弧状のレールに複数個のランナを取り付けて、当該ランナにカーテンを吊り下げている。そして、ランナをレールに沿って移動させることで、カーテンを開閉操作している。
【先行技術文献】
【特許文献】
【０００４】
【特許文献１】実開平６−３６４７１号公報
【発明の概要】
【発明が解決しようとする課題】
【０００５】
前記特許文献１に記載のものにあっては、カーテン（スクリーン）を開いたときには当該カーテンが窓枠の下部に集束されるために（特許文献１の補正後の明細書の段落００１３および図１参照）、その集束したカーテンによって窓の下部が遮蔽されてしまい、適正な採光を行うことができないといった問題がある。
【０００６】
また、カーテンは柔軟性を有しているために、例えば特許文献１の図１に示す半開状態にしたときには当該カーテンが自重で垂れ下がった状態になり、見栄えが悪いことになる。さらにカーテンを全閉させようとしても、垂れ下がっている分だけ窓を完全には閉じることができない虞があるといった問題がある。
【０００７】
本発明は、かかる不都合を解決することを目的とするものであり、開いた状態のスクリーンで扇形の窓の一部が遮蔽されることを抑えるとともに、見栄えがよいうえにスクリーンで窓を確実に閉じることができる遮光スクリーン装置を提供することにある。
【課題を解決するための手段】
【０００８】
本発明は、前記不都合を解決するものである。すなわち本発明は、建物に設けている扇形の窓３に配置する遮光スクリーン装置であって、扇形のスクリーン１０ａ・１０ｂと、扇形の窓枠５の下端を成す直線状の下枠部５ａに配置してあってスクリーン１０ａ・１０ｂを巻き取る円錐台形状のドラム１１ａ・１１ｂと、スクリーン１０ａ・１０ｂをドラム１１ａ・１１ｂから繰り出させるための駆動機構１２ａ・１２ｂとを有しており、駆動機構１２ａ・１２ｂは、スクリーン１０ａ・１０ｂの遊端に取り付けている支持バー１６ａ・１６ｂと、窓枠５の円弧状の上枠部５ｂに沿って配置している円弧状のガイドレール１８ａ・１８ｂと、そのガイドレール１８ａ・１８ｂを介して支持バー１６ａ・１６ｂに一端を連結しているケーブル１７ａ・１７ｂと、ケーブル１７ａ・１７ｂを駆動する駆動手段とを有しており、支持バー１６ａ・１６ｂは、スクリーン１０ａ・１０ｂの円弧状周縁の径方向に延びていて、その長さ方向の一端がスクリーン１０ａ・１０ｂの周縁の中心点Ｏ１・Ｏ２の位置で揺動可能に支持されており、前記中心点Ｏ１・Ｏ２は、円弧状の上枠部５ｂの径方向の中心部に位置しており、ドラム１１ａ・１１ｂは、小径側がスクリーン１０ａ・１０ｂの前記中心点Ｏ１・Ｏ２側に位置しており、スクリーン１０ａ・１０ｂがドラム１１ａ・１１ｂから繰り出されて上枠部５ｂに沿って扇状に広げられることで、窓３が覆われることを特徴とする。
【０００９】
ここでの扇形の窓３には、図１に示す半円形状の窓や円形状の窓なども該当する。スクリーン１０ａ・１０ｂとドラム１１ａ・１１ｂとは、窓３にそれぞれ一個ずつ配置する場合と、窓３にそれぞれ複数個配置する場合とが含まれる。駆動手段は、手動式である場合と、モータである場合などが含まれる。
【００１０】
詳しくは、スクリーン１０ａ・１０ｂをそれぞれ巻き取る二つのドラム１１ａ・１１ｂが、窓枠５の円弧状の上枠部５ｂの径方向の中心部を挟んで配置されており、駆動機構１２ａ・１２ｂは、各スクリーン１０ａ・１０ｂの遊端にそれぞれ取り付けている二本の支持バー１６ａ・１６ｂと、上枠部５ｂに沿って配置している二本の円弧状のガイドレール１８ａ・１８ｂと、各ガイドレール１８ａ・１８ｂを介して各支持バー１６ａ・１６ｂに一端をそれぞれ連結している二本のケーブル１７ａ・１７ｂと、それらのケーブル１７ａ・１７ｂを駆動する駆動手段とを有していることを特徴とする。
【００１１】
ここでは、各ケーブル１７ａ・１７ｂに対応させて駆動手段をそれぞれ配置する場合と、両ケーブル１７ａ・１７ｂを一つの駆動手段で駆動する場合などが該当する。各支持バー１６ａ・１６ｂは、一つの前記中心点Ｏ１・Ｏ２を中心にそれぞれ揺動してもよく、各支持バー１６ａ・１６ｂにそれぞれ対応する複数の前記中心点Ｏ１・Ｏ２を中心にそれぞれ揺動してもよい。
【００１２】
より詳しくは、窓３を全閉状態にしたときには、支持バー１６ａ・１６ｂどうしが突き合わされた状態になっているものとすることができる。支持バー１６ａ・１６ｂどうしは、窓３の左右中央位置で突き合わされてもよく、窓３の左右のいずれか一方に偏った位置で突き合わされてもよい。
【００１３】
スクリーン１０ａ・１０ｂには、その円弧状の周縁の径方向に延びる補強芯材１５を配置しているものとすることができる。補強芯材１５は、配置本数が多いほうが好ましいが、少なくとも一本配置すればよい。
【００１４】
ケーブル１７ａ・１７ｂと支持バー１６ａ・１６ｂとを連結するための機構を具体的に説明すると、ガイドレール１８ａ・１８ｂ内に、ケーブル１７ａ・１７ｂの一端を連結している連結ブロック２３ａ・２３ｂをガイドレール１８ａ・１８ｂに沿って移動可能に配置しており、その連結ブロック２３ａ・２３ｂには、ガイドレール１８ａ・１８ｂから支持バー１６ａ・１６ｂ側へ突出するピン２４を設けており、支持バー１６ａ・１６ｂには、当該支持バー１６ａ・１６ｂの長さ方向に延びる長孔２５を形成しており、その長孔２５に、連結ブロック２３ａ・２３ｂのピン２４が支持バー１６ａ・１６ｂの長さ方向に相対移動可能な状態で係合している。
【００１５】
また、ケーブル１７ａ・１７ｂと支持バー１６ａ・１６ｂとを連結するための連結機構としては、ケーブル１７ａ・１７ｂの一端を連結していてガイドレール１８ａ・１８ｂに沿って移動可能なケーブルブロック３１と、一端をケーブルブロック３１に揺動自在に取り付けているとともに他端を支持バー１６ａ・１６ｂに揺動自在に取り付けているロッド３３とを有しているものとすることができる。
【００１６】
また、ケーブル１７ａ・１７ｂは、ギヤードケーブルからなり、そのギヤードケーブル１７ａ・１７ｂに噛合するギヤホイール１９が、駆動手段としてのモータ２０に連結していることで、ギヤードケーブル１７ａ・１７ｂがモータ２０によって駆動されるものとすることができる。
【発明の効果】
【００１７】
本発明の遮光スクリーン装置は、スクリーン１０ａ・１０ｂを扇形に形成しているので、そのスクリーン１０ａ・１０ｂによって扇形の窓３を確実に覆って遮光することができる。そのうえで、窓３を開状態にしたときには、スクリーン１０ａ・１０ｂがドラム１１ａ・１１ｂに巻き取られてコンパクトに纏められている。これによって、スクリーン１０ａ・１０ｂを全開したときにスクリーン１０ａ・１０ｂによって窓３の一部が遮蔽されることが抑制されて、適正な採光を行うことができる。
【００１８】
また、スクリーン１０ａ・１０ｂの遊端に沿って支持バー１６ａ・１６ｂを取り付けているので、スクリーン１０ａ・１０ｂの遊端の強度が高くなって、スクリーン１０ａ・１０ｂがたるみ難くなり、その分だけスクリーン１０ａ・１０ｂの見栄えがよくなる。
【００１９】
二枚のスクリーン１０ａ・１０ｂを有していると、それらのスクリーン１０ａ・１０ｂで、例えば、窓３のうち、その円弧方向の任意の一部のみから採光することができる。
【００２０】
窓３を全閉状態にしたときに支持バー１６ａ・１６ｂどうしが突き合わされた状態になっていると、両スクリーン１０ａ・１０ｂの遊端間に隙間が生じることを抑えて的確に遮光することができるとともに、両支持バー１６ａ・１６ｂが一体化してその支持バー１６ａ・１６ｂの見栄えがよくなる。しかも、例えば二つのスクリーン１０ａ・１０ｂの支持バー１６ａ・１６ｂどうしが前後にずれるように構成した場合よりも、支持バー１６ａ・１６ｂの配置用のスペースの前後幅を小さくできる。
【００２１】
スクリーン１０ａ・１０ｂに補強芯材１５を配置すると、スクリーン１０ａ・１０ｂの強度がより高まってドラム１１ａ・１１ｂから繰り出したスクリーン１０ａ・１０ｂの周縁がよじれたりすることなどが確実に抑えられる。
【００２２】
支持バー１６ａ・１６ｂの長さ方向に延びる長孔２５に、連結ブロック２３ａ・２３ｂのピン２４が支持バー１６ａ・１６ｂの長さ方向に相対移動可能に係合していると、例えば製造誤差によって支持バー１６ａ・１６ｂとガイドレール１８ａ・１８ｂとの位置関係が適正な状態からずれていても、その分だけ連結ブロック２３ａ・２３ｂのピン２４が支持バー１６ａ・１６ｂの長さ方向に相対移動して、前記ずれを吸収することができる。これによって、前記ずれに起因して連結ブロック２３ａ・２３ｂがガイドレール１８ａ・１８ｂに引っ掛かって、スクリーン１０ａ・１０ｂが広がり難くなることを防止することができる。
【００２３】
ケーブルブロック３１にケーブル１７ａ・１７ｂの一端を連結し、そのケーブルブロック３１と支持バー１６ａ・１６ｂとを揺動自在なロッド３３で接続していると、例えば製造誤差によって支持バー１６ａ・１６ｂとガイドレール１８ａ・１８ｂとの位置関係が適正な状態からずれていても、ロッド３３の揺動によって前記ずれを吸収することができ、前述と同様にスクリーン１０ａ・１０ｂが広がり難くなることを防止することができる。
【００２４】
ケーブル１７ａ・１７ｂがギヤードケーブルからなり、そのギヤードケーブル１７ａ・１７ｂに噛合するギヤホイール１９が駆動手段としてのモータ２０に連結していると、モータ２０によってケーブル１７ａ・１７ｂを確実に駆動することができる。それによって、支持バー１６ａ・１６ｂをガイドレール１８ａ・１８ｂに沿って確実に移動させることができる。
【図面の簡単な説明】
【００２５】
【図１】本発明の遮光スクリーン装置を配置した半円形状の窓の縦断正面図である。
【図２】遮光スクリーン装置を配置した窓の縦断側面図である。
【図３】スクリーンで窓を全閉した状態を示す縦断正面図である。
【図４】スクリーンで窓を半閉した状態を示す縦断正面図である。
【図５】図３のＡ―Ａ線矢視断面図である。
【図６】図３のＢ―Ｂ線矢視断面図である。
【図７】支持バーの他の実施例を示す断面図である。
【図８】遮光スクリーン装置の他の実施例を示す正面図である。
【図９】図８のＣ―Ｃ線矢視断面図である。
【図１０】支持バーとギヤードケーブルの連結機構の他の実施例の要部を示す正面図である。
【図１１】図１０のＤ―Ｄ線矢視断面図である。
【発明を実施するための形態】
【００２６】
本発明に係る遮光スクリーン装置の一実施例を図１ないし図６に基づいて説明する。その遮光スクリーン装置は、図２に示すように、オフィスビルなどの建物の外壁２に設けている半円形状（扇形）の窓３に配置している。その窓３の扇形の窓枠５には、空間６を隔てて対向する内外一対の半円形状の透明ガラス７・８を取り付けている。
【００２７】
遮光スクリーン装置は、図１に示すように、窓枠５の下端を成す直線状の下枠部５ａから前記空間６内に進出可能な一対の扇形（円弧状）のスクリーン１０ａ・１０ｂ（図３および図４参照）と、それらのスクリーン１０ａ・１０ｂをそれぞれ巻き取る左右一対の円錐台形状のドラム１１ａ・１１ｂと、各スクリーン１０ａ・１０ｂを各ドラム１１ａ・１１ｂからそれぞれ繰り出させるための二つの駆動機構１２ａ・１２ｂとを有している。各ドラム１１ａ・１１ｂおよび各駆動機構１２ａ・１２ｂは、窓枠５の下枠部５ａ内にそれぞれ配置している。
【００２８】
各スクリーン１０ａ・１０ｂは、例えば耐紫外線性や耐熱性に優れた合成樹脂製の布からなり、図４に示すように、円弧状の周縁からその周縁の径方向に延びる合成樹脂製または金属製の補強芯材１５を配置している。補強芯材１５は、スクリーン１０ａ・１０ｂの周方向に複数本分散状に配置している。各ドラム１１ａ・１１ｂの両端は、窓枠５内に取り付けた固定具１３・１４にそれぞれ回転自在に支持している。各ドラム１１ａ・１１ｂは、内蔵のねじりコイルバネ（図示せず）によってスクリーン１０ａ・１０ｂを巻き取る方向（回転方向）に付勢されている。
【００２９】
各駆動機構１２ａ・１２ｂは、図１に示すように、各スクリーン１０ａ・１０ｂの遊端（先端）にそれぞれ取り付けている支持バー１６ａ・１６ｂと、窓枠５の半円形（円弧状）の上枠部５ｂに沿って配置している円弧状のガイドレール１８ａ・１８ｂと、そのガイドレール１８ａ・１８ｂを介して支持バー１６ａ・１６ｂに一端を連結しているギヤードケーブル１７ａ・１７ｂと、ギヤードケーブル１７ａ・１７ｂに噛合するギヤホイール１９と、そのギヤホイール１９に連結しているギヤードモータ（駆動手段）２０とを有している。ギヤードモータ２０およびギヤホイール１９によってギヤードケーブル１７ａ・１７ｂが駆動される。
【００３０】
各支持バー１６ａ・１６ｂは、対応するスクリーン１０ａ・１０ｂの遊端に沿って当該スクリーン１０ａ・１０ｂの円弧状の周縁の径方向に延びており、その長さ方向の一端がスクリーン１０ａ・１０ｂの円弧状の周縁の中心点Ｏ１・Ｏ２の位置に配置している一個の支持具２１に揺動可能に支持されている。前記中心点Ｏ１・Ｏ２は、窓枠５の上枠部５ｂの径方向の中心部に位置している。支持具２１は、窓枠５の下枠部５ａ内に取り付けている。各ドラム１１ａ・１１ｂは、その小径側が前記中心点Ｏ１・Ｏ２側に位置している。また、左右のドラム１１ａ・１１ｂの仮想軸線２６ａ・２６ｂは、前記中心点Ｏ１・Ｏ２をそれぞれ通っている。左右のドラム１１ａ・１１ｂは、前記中心点Ｏ１・Ｏ２を挟んで左右対称位置に配置している。
【００３１】
ガイドレール１８ａ・１８ｂは、図３および図５に示すように、窓枠５の上枠部５ｂの内周側および外周側に並べて配置している。それらのガイドレール１８ａ・１８ｂは、断面四角形状の中空をそれぞれ有しており、前面にはガイドレール１８ａ・１８ｂに沿って延びる開口２２をそれぞれ有している。各ガイドレール１８ａ・１８ｂの両端面はそれぞれ開口している。
【００３２】
各ガイドレール１８ａ・１８ｂの中空内には、ギヤードケーブル１７ａ・１７ｂの一端を連結している連結ブロック２３ａ・２３ｂをそれぞれ配置している。各連結ブロック２３ａ・２３ｂは、当該ガイドレール１８ａ・１８ｂに沿ってスライド移動可能になっている。各連結ブロック２３ａ・２３ｂの前面には、図５に示すように、ガイドレール１８ａ・１８ｂから当該ガイドレール１８ａ・１８ｂの開口２２を通って支持バー１６ａ・１６ｂ側へ突出するピン２４をそれぞれ設けている。
【００３３】
各支持バー１６ａ・１６ｂの長さ方向の他端部（窓枠５の上枠部５ｂ側となる端部）には、図３および図５に示すように、当該支持バー１６ａ・１６ｂの長さ方向（図３では上下方向）に延びる長孔２５をそれぞれ形成しており、その長孔２５に、連結ブロック２３ａ・２３ｂのピン２４の先端部が、支持バー１６ａ・１６ｂの長さ方向に相対移動可能に係合している。それにより、各ギヤードケーブル１７ａ・１７ｂが連結ブロック２３ａ・２３ｂを介して支持バー１６ａ・１６ｂにそれぞれ連結されている。
【００３４】
連結ブロック２３ａ・２３ｂのピン２４の先端には、ナット２８が締め込まれており、それによってピン２４が支持バー１６ａ・１６ｂの長孔２５から抜け出ることを防止している。各連結ブロック２３ａ・２３ｂは、ガイドレール１８ａ・１８ｂの中空の断面形状に合わせて四角柱状に形成している。
【００３５】
各ガイドレール１８ａ・１８ｂの一方の端面には、図１に示すように、ギヤードケーブル１７ａ・１７ｂをギヤホイール１９（ギヤードモータ２０）にそれぞれ導くとともにギヤードケーブル１７ａ・１７ｂの遊端側を収容するケーブルチューブ２７を接続している。そのケーブルチューブ２７の一端は、ガイドレール１８ａ・１８ｂの端面の開口に接続しており、各ギヤードケーブル１７ａ・１７ｂは、ケーブルチューブ２７を介してガイドレール１８ａ・１８ｂ内に導かれている。
【００３６】
そして、例えば操作スイッチ（図示せず）での操作によってギヤードモータ２０を駆動することで、ギヤードケーブル１７ａ・１７ｂがケーブルチューブ２７内に退入駆動され、それに伴って支持バー１６ａ・１６ｂがギヤードケーブル１７ａ・１７ｂ側に引っ張られて、スクリーン１０ａ・１０ｂがドラム１１ａ・１１ｂから繰り出されて、窓枠５の上枠部５ｂに沿って扇状に広げられる（図３および図４の状態）。それにより、窓３がスクリーン１０ａ・１０ｂで覆われて遮光される。
【００３７】
前記操作スイッチは、ドラム１１ａ・１１ｂからのスクリーン１０ａ・１０ｂの繰り出し量を任意に調節できるようになっており、例えば外光に合わせてドラム１１ａ・１１ｂからのスクリーン１０ａ・１０ｂの繰り出し量を設定することができる。なお、図３は、両スクリーン１０ａ・１０ｂによって、窓枠５から露出している透明ガラス７・８の全面をほぼ覆った全閉状態を示している。
【００３８】
前記両スクリーン１０ａ・１０ｂで窓３を全閉状態にするために、ギヤードモータ２０およびギヤホイール１９によってギヤードケーブル１７ａ・１７ｂを駆動したときには、両支持バー１６ａ・１６ｂが前記中心点Ｏ１・Ｏ２を中心に揺動し、図６に示すように、支持バー１６ａ・１６ｂどうしが接近して（図６の仮想線図参照）、突き合わされる（図６の実線図参照）。これにより、両支持バー１６ａ・１６ｂ間に隙間が生じることが抑えられる。また、支持バー１６ａ・１６ｂどうしが突き合わされたときに両支持バー１６ａ・１６ｂ間に隙間が生じても、その隙間は、図６に示すようにクランク状に屈曲しており、これによって光が前記隙間を通り抜けることが防止されて、確実に遮光することができる。
【００３９】
このように、支持バー１６ａ・１６ｂどうしが突き合わされるようにしたことで、例えば支持バー１６ａ・１６ｂどうしが前後にずれるように構成した場合よりも、支持バー１６ａ・１６ｂの配置用のスペースの前後幅を小さくできる。
【００４０】
各スクリーン１０ａ・１０ｂは、例えば任意の色を施されるようになっており、各スクリーン１０ａ・１０ｂの色を変えた場合には、スクリーン１０ａ・１０ｂを繰り出したときに、各スクリーン１０ａ・１０ｂの色によって建物の外壁２に模様が形成されることになる。
【００４１】
スクリーン１０ａ・１０ｂを繰り出した状態でギヤードケーブル１７ａ・１７ｂの駆動を停止したときには、ギヤードモータ２０の回転はロックされる。その状態で、スクリーン１０ａ・１０ｂを開くために、例えば操作スイッチでの操作によって前記ロックを解除したときには、ドラム１１ａ・１１ｂは、内蔵のねじりコイルバネの付勢力によって回転して、スクリーン１０ａ・１０ｂを巻き取る（図１の状態）。
【００４２】
図３および図４では、両スクリーン１０ａ・１０ｂを同時に繰り出す場合を示しているが、前記操作スイッチは、いずれか一方のスクリーン１０ａ・１０ｂのみの繰り出しを設定できるように構成している。
【００４３】
例えば図７に示すように一方の支持バー１６ａを断面凹字状に形成するとともに、他方の支持バー１６ｂを断面凸字状に形成して、前記支持バー１６ａ・１６ｂどうしが突き合わされたときに両支持バー１６ａ・１６ｂ間に隙間が生じても、その隙間が屈曲するように構成してもよい。
【００４４】
また、図９に示すように、各支持バー１６ａ・１６ｂどうしを前後にずらすとともに、各支持バー１６ａ・１６ｂの前後端に両スクリーン１０ａ・１０ｂをそれぞれ取り付け、図８の全閉状態で、図９に示すように両スクリーン１０ａ・１０ｂがほぼ隙間なく前後に重なるようにしてもよい。この場合、遮光性がより高まることになる。
【００４５】
前記実施例では、支持バー１６ａ・１６ｂの長孔２５に連結ブロック２３ａ・２３ｂのピン２４を係合することで、例えば製造誤差によって支持バー１６ａ・１６ｂとガイドレール１８ａ・１８ｂとの位置関係が適正な状態からずれていても、連結ブロック２３ａ・２３ｂのピン２４が、支持バー１６ａ・１６ｂの長さ方向に相対移動して前記ずれを吸収しているが、図１０および図１１に示す連結機構によっても前記ずれを吸収することができる。
【００４６】
つまり、この実施例の各連結機構は、ギヤードケーブル１７ａ・１７ｂの一端を連結していてガイドレール１８ａ・１８ｂに沿って移動可能なケーブルブロック３１と、一端（図１１では右側）をケーブルブロック３１に揺動自在に取り付けているとともに他端（図１１では左側）を支持バー１６ａ・１６ｂに揺動自在に取り付けているロッド３３とを有している。
【００４７】
具体的には、ロッド３３の一端をピン３４によってケーブルブロック３１に揺動自在に取り付けており、ロッド３３の他端をケーブルブロック３１の前面に設けているピン３５を支持バー１６ａ・１６ｂに設けた孔３６を通し、当該ピン３５の先端にナット３７を締め込むことで、そのロッド３３の他端を支持バー１６ａ・１６ｂに揺動自在に取り付けている。
【００４８】
本発明は、例えば操作スイッチでスクリーン１０ａ・１０ｂの繰り出しを設定することで、従来とは異なる遮光を行うことができる。加えて、スクリーン１０ａ・１０ｂを開いたときには、当該スクリーン１０ａ・１０ｂがドラム１１ａ・１１ｂに巻き取られてコンパクトに纏められる。
【００４９】
また、スクリーン１０ａ・１０ｂの遊端に沿って支持バー１６ａ・１６ｂを取り付けているので、スクリーン１０ａ・１０ｂの遊端の強度が高くなって、スクリーン１０ａ・１０ｂがたるみ難くなり、それによって的確に遮光することができるとともに、見栄えをよくすることができる。
【００５０】
本発明の遮光スクリーン装置を配置した窓３を建物の外壁２に上下左右に並べることで、各ドラム１１ａ・１１ｂから繰り出されたスクリーン１０ａ・１０ｂによって建物の意匠効果をより向上させることができる。
【００５１】
前記説明では、ギヤホイール１９と噛合するギヤードケーブル１７ａ・１７ｂを連結ブロック２３ａ・２３ｂに連結しているが、例えばギヤホイール１９と噛合不能なケーブル（ワイヤロープ）を連結ブロック２３ａ・２３ｂに連結してもよい。その場合、ケーブルは、例えば窓枠５内に配置したリールに巻き取られるようにしておき、そのリールにモータを連結する。そして、そのモータを駆動することによってドラム１１ａ・１１ｂからスクリーン１０ａ・１０ｂが繰り出される。
【００５２】
前記説明では、ねじりコイルバネによってスクリーン１０ａ・１０ｂをドラム１１ａ・１１ｂに巻き取っているが、モータなどによってドラム１１ａ・１１ｂを駆動してスクリーン１０ａ・１０ｂをドラム１１ａ・１１ｂに巻き取ってもよい。
【符号の説明】
【００５３】
３  窓
５  窓枠
５ａ  下枠部
５ｂ  上枠部
１０ａ・１０ｂ  スクリーン
１１ａ・１１ｂ  ドラム
１２ａ・１２ｂ  駆動機構
１５  補強部材
１６ａ・１６ｂ  支持バー
１７ａ・１７ｂ  ギヤードケーブル
１８ａ・１８ｂ  ガイドレール
１９  ギヤホイール
２０  ギヤードモータ
２３ａ・２３ｂ  連結ブロック
２４  ピン
２５  長孔
３１  ケーブルブロック
３３  ロッド
Ｏ１・Ｏ２  中心点
【図１】
2012040112.tif 000003
【図２】
2012040112.tif 000004
【図３】
2012040112.tif 000005
【図４】
2012040112.tif 000006
【図５】
2012040112.tif 000007
【図６】
2012040112.tif 000008
【図７】
2012040112.tif 000009
【図８】
2012040112.tif 000010
【図９】
2012040112.tif 000011
【図１０】
2012040112.tif 000012
【図１１】
2012040112.tif 000013